Podtech/llm-jp-corpus-v4-ja_patent huggingface dataset:
(57)【要約】【課題】資源豊富な植物炭化とした吸着作用は、多孔質体をもつ表面積の大きさを特徴とし、持ち合わせた素材を吸着材とする。素材は大量安定供給で安価とした。地上、床面、水面に浮き、水面下などでも対応でき、多様化素材で、しかも、処理後は焼却処理可能とした炭化物を提供する。【解決手段】農業植物廃棄物、植物産業廃棄物を対象として取り組んだこの発明は、植物炭化物を大量に安定供給を得ることで成功をした。炭化物を通油性のある袋体に充填することで多様化の更なる成果を得た。【選択図】なし【特許請求の範囲】
【請求項１】
農業植物廃棄物、植物産業廃棄物を炭化した炭化物を製造する炭化物の製造方法において、粒状形成を保持しながら１，０００℃程度で焼成した多孔質体の炭化工程を備えたことを特徴とする炭化物の製造方法。
【請求項２】
上記工程において、粒状物を均一することを特徴とした炭化物の製造方法。
【請求項３】
請求項１、請求項２を単一製造とする製造方法、又は複合とした製造方法。
【請求項４】
請求項１、２、３、炭化物の物理的化学的特性の汎用性を発揮した応用環境浄化材。
【請求項５】
前記、請求項１から４において本発明趣旨を逸脱しない範囲の変更は、本発明に含まれる。
【発明の詳細な説明】
【技術分野】
【０００１】豊富な天然資源、植物本来の多孔質体の活用応用を特徴とした。天然素材廃棄物を物理化学応用としての植物炭化物の利用と産業利用に関するものである。【０００２】環境浄化を目的とした植物炭化物の利用と産業利用。
【背景技術】
【０００３】細孔構造を多く持つ植物炭化物の多孔質体は吸着性が強い。【０００４】炭化物の利用においては、ヤシガラ破砕炭、木質粉末炭、石炭系ペレット、石炭系粉末炭などが利用されている。
【発明の開示】
【発明が解決しようとする課題】
【０００５】従来の環境浄化材は、化学製品であることから環境上に難点があることからも天然素材活用傾向にある。使用前の高額な在庫や使用後の処理問題等経済上および環境対策に難点がある。【０００６】植物炭化物を高温化に活用する場合に、より微細に、より多くの表面積をもって燃焼することが必要である。【０００７】天然素材の植物炭化物を基材にした炭化物は、大量に使用する環境浄化用炭化物を製造する技術に成功したのである。しかも、処理後において焼却処理を可能とした。
さらに、大量な農業廃棄物が安価に対応できることを特徴とした。
【課題を解決するための手段】
【０００８】本発明は、多孔質体の植物廃棄物を燃焼加熱することで細孔構造部分に炭素を付着させ、多孔質体を基材とした植物炭化物を製造することが出来る。【０００９】本発明における機能は、本素材の表面積の大きさが塩素除去機能、除菌機能、消毒機能の浄化材、ガス吸着材、土壌改良材、肥料添加剤、家畜の飼料添加材、有機堆肥の完熟か添加材、住宅の調節材、土壌の酸性雨対策等、その効果の活用を特徴とした。
【発明の効果】
【００１０】本発明は、農業植物廃棄物、植物産業廃棄物の物理化学を応用とした植物炭化物素材の多孔質と表面積の大きさを活用とした。経済負担が少なく、しかも製造工程は特別な技術を要しないことを特徴とした。【００１１】本発明は、吸着において効果があり、環境浄化に取り組むことができる。【００１２】農業植物廃棄物、植物産業廃棄物の植物炭化物を用いることから安定供給が可能であり、しかも安価に、大量供給が可能である。さらに、処理後は焼却処理を可能とする。【００１３】本発明の原料は、天然素材成分であり、有害物質は発生しない。【００１４】本発明の製造技術は単純であり高度技術を要しない。しかも先進的な環境浄化に参入ができ、地域資源の有効活用に貢献する。
【発明を実施するための最良の形態】
【００１５】本発明の植物炭化物は、粒度の均一を保っていることから空隙、多孔質、珪素質が形成されている。この応用技術でもって油吸着性の効果が発揮されることを特徴とした。しかも、処理後は、燃やすと燃料になるのが特徴である。【００１６】袋成形は細孔を有したものが適しているが、布織布を袋状に製作し、形成付着することでの形態が望ましい。【００１７】農業植物廃棄物、植物産業廃棄物の炭化物をマットタイプ、板タイプ、円筒タイプに形成した袋体に充填させることの単純さと合理的な成形によって多様な使用を可能としたことを特徴とした。【００１８】この実施例については多孔質体の細孔構造や表面化学特性の部分に炭素を付着とした特異性の吸着剤であり、浄化装置に関する技術を含め用途の多様化を特徴とする。
【産業上の利用可能性】
【００１９】本発明によって、農業分野から排出発生する農業植物廃棄物、植物産業廃棄物の主成分はセルロース系から土壌に還元ができ、循環型産業の形成から物理化学を応用とした植物炭化物の期待が求められている。油の流出事故や化学液体流出事故、海面、水面事故なの油の流出事故緊急時の吸着材として利用できることから在庫自体が緊急用の備えとなる。さらに、大規模な事故の場合は、袋成形をしないで、本発明の植物炭化物を直接接触することでの対応を特徴とする。【００２０】本発明によって、活性炭と同等の機能が可能であるため運搬や工程、取扱に有用に活用できる。【００２１】本発明によって、家畜排泄物法に対応した堆肥を可能とし、環境に負荷を与えない。
(57)【要約】      （修正有）【課題】突然の飛び出しや身体をひねっての後退運転をする場合などで、ブレーキペダルと間違えてアクセルペダルを一気に踏み込んでしまい事故に至る場合がある。このような場合瞬時にエンジンを停止させ、同時にブレーキを作動させて車両の暴走を防ぎ事故を防止するための機構である。【解決手段】ブレーキのつもりでアクセルペダルを一気に踏み込んだ場合、アクセルペダルに押されてスイッチが入り、そのスイッチの連動でイグニション回路や燃料ポンプ、あるいはコンピュータなどを停止させ、直ちにエンジンを停止させる。更に、スイッチの連動によって電磁式ブレーキを作動させて車両を停止させるものである。【選択図】なし【特許請求の範囲】
【請求項１】
自動車の安全運転に関し、間違えてアクセルを一気に踏み込んだ場合エンジンと車両を停止させ、車両の暴走を未然に防ぐシステム。
【発明の詳細な説明】
【技術分野】
【０００１】  自動車のアクセルペダルは加速機構として、ペダルを踏み込むほどエンジンの回転が上昇し車速を加速させる。何かのはずみにブレーキペダルと間違えてアクセルペダルを踏み込んでしまうとエンジンは確実に暴走状態となり、自動車本体はフルパワーの状態で暴走し事故につながる危険性がある。
本考案はこのような危険性を防止するために関するものである。
【背景技術】
【０００２】  現在の自動車機構では、何かの弾みでブレーキのつもりでアクセルペダルを力を込めて踏み込んだ場合、自動車本体は確実に暴走する。
運転者の高齢化また成人万人が運転する時代になり、誤操作運転の危険は常にある。本考案はこのような危険性をなくすために考えられた機構である。
【発明が解決しようとする課題】
【０００３】  突然の飛び出しや身体をひねっての後退運転をする場合などで、ブレーキペダルと間違えてアクセルペダルを一気に踏み込んでしまい事故に至る場合がある。、このような場合瞬時にエンジンを停止させ、同時にブレーキを作動させて車両の暴走を防ぎ事故を防止するための機構である。
【課題を解決するための手段】
【０００４】  ブレーキのつもりでアクセルペダルを一気に踏み込んだ場合、アクセルペダルに押されてスイッチが入り、そのスイッチの連動でイグニション回路や燃料ポンプ、あるいはコンピュータなどを停止させ、直ちにエンジンを停止させる。
更に、スイッチの連動によって電磁式ブレーキを作動させて車両を停止させるものである。
2011157058.tif 000002
【手続補正書】
【提出日】平成22年4月8日(2010.4.8)
【手続補正１】
【補正対象書類名】明細書
【補正対象項目名】全文
【補正方法】変更
【補正の内容】
【発明の詳細な説明】
【技術分野】
【０００１】  自動車のアクセルペダルは加速機として、ペダルを踏み込むほどエンジンの回転数が上昇し車速を加速させる。何かのはずみにブレーキペダルと間違えてアクセルペダルを踏み込んでしまった場合，確実にエンジンは暴走状態となり、車両本体はフルパワーの状態で暴走し始め，事故につながる危険性が大きい。
本システムはこのような危険性を防止するためのものである。
【背景技術】
【０００２】  現在の自動車機構では，何かの弾みでブレーキのつもりでアクセルペダルを力を込めて踏み込んだ場合，自動車本体は確実に暴走する。
運転者の高齢化また成人万人が運転する時代になり，誤操作運転の危険は常にある。本考案はこのような危険性をなくすために考えられた機構である。
【発明が解決しようとする課題】
【０００３】  突然の飛び出しや身体をひねっての後退運転をする場合などで、ブレーキペダルと間違えてアクセルペダルを一気に踏み込んでしまい事故に至る場合がある。  このような場合瞬時にエンジンを停止させ、同時にブレーキを作動させて車両の暴走を防ぎ，事故を未然に防止するためのシステムである。
後退時であれ前進時であれ，この種の現象は一瞬に起こるもので，一旦アクセルを踏み込んでしまうと暴走は避けようがなく，重大事故になる事が多い。
【課題を解決するための手段】
【０００４】  ブレーキのつもりでアクセルペダルを一気に踏み込んだ場合、アクセルペダルに押されてスイッチが入り、そのスイッチの連動でイグニション回路や燃料ポンプ、あるいはコンピュータなどを停止させ、直ちにエンジンを停止させる。
更に、ブレーキを作動させて車両を停止させるものである。
【図面の簡単な説明】
【０００５】
【図１】  図１は動作の流れ図を表す。
【０００６】  通常のアクセル操作では床まで踏み込んでも連動スイッチは作動しない。【０００７】  アクセルペダルを一気に踏み込んだ場合には連動スイッチが作動する。【０００８】  連動スイッチの作動によってエンジンは停止し、かつブレーキも作動して車両本体をも停止させる。
【手続補正２】
【補正対象書類名】図面
【補正対象項目名】全図
【補正方法】変更
【補正の内容】
【図１】
2011157058.tif 000003
(57)【要約】【課題】従来のFRP成形には強度確保重視のためガラス繊維とポリエステル樹脂を複合して生成されていたがガラス繊維はリサイクル性が低く焼却時に残渣が発生する等、環境に大きな負荷を強いてきている。また成形作業時に微細化したガラス繊維が人体内外に付着・吸引する可能性が高く、人体への悪影響が懸念されている。【解決手段】 FRP成形にガラス繊維を使用せず3種の天然繊維を複合使用することにより、リサイクル性を確保し、また天然繊維の使用に伴い成形時の人体の保護も兼ねている。【選択図】図２
2011157410.tif 000002
【特許請求の範囲】
【請求項１】
FRP成形に於いて、通常のガラス繊維強化FRPに代替すべく３種の天然繊維素材を複合利用した天然繊維強化FRP。
【発明の詳細な説明】
【技術分野】
【０００１】
この発明は、繊維強化プラスチック樹脂の素材に関する。
【背景技術】
【０００２】
繊維強化プラスチックはガラス繊維の併用が一般的であり、天然繊維では竹繊維での強化をアプローチした事例も知られている。
【発明の概要】
【発明が解決しようとする課題】
【０００３】
ガラス繊維はリサイクル・廃棄に大きなコストがかかり実情は環境汚染となっている。また繊維が非常に微細であるため吸引の可能性が高く健康被害の懸念も考えられ等、ドイツ等の一部の国では法規制の動きもあり、多くの課題を抱えていると言える。
【０００４】
当発明は、複数(３種)の天然繊維素材を組合せ加工し、ガラス繊維強化プラスチックに代替する天然繊維強化プラスチックを開発し、ガラス繊維プラスチックの強度に限りなく接近することを目標とした。
【課題を解決するための手段】
【０００５】
上記の課題を解決するために種の天然繊維強化プラスチックを試作し、ガラスＦＲＰを含めてねそれぞれ３回づつの強度試験を実施した。
その結果、最も良い結果を示した素材を抽出し、最終的には、その素材を使用した場合の強度向上のために最適の施工方法を見出すものである。
【発明の効果】
【０００６】
強度試験の結果、ガラス繊維FRPに最も近い数値を記録した天然繊維素材はアゲルと言う天然繊維であり、３回のガラス繊維ＦＲＰの強度試験のうち２回目の試験結果が突出した強度を示したことにより平均値が上げられていることを考えると、アゲルの強度は充分に目標値に接近した結果を得られたものと考える。実質、１回目・３回目の試験結果だけで判断すると、ガラス繊維FRPの６９．９％〜９６％程度の強度を確保することを達成している。以上により、当発明の実施に於いて使用する自然繊維をアゲルにすることと決定した。次にアゲルだけの強度ではＦＲＰと同等の強度には及ばないため、更に強度を引き出す天然繊維強化プラスチックの施工法として、アゲル・メッシュ繊維・麻繊維の３種の組み合わせが妥当との結論に達し、選択する天然繊維を以上の3種に特定した。以上の三点の天然繊維を併用することにより、一層ガラス繊維強化プラスチックの強度に接近したものになったと言える。
【図面の簡単な説明】
【０００７】
【図１】この発明の一実施形態である試験結果を示す表である。
【図２】天然繊維素材ＦＲＰ1種目(アゲル)の強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図３】天然繊維素材２種目の強度試験の結果を示す画像である。    写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図４】天然繊維素材３種目の強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図５】天然繊維素材４種目の強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図６】天然繊維素材５種目の強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図７】天然繊維素材６種目の強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【図８】ガラス繊維素FRPの強度試験の結果を示す画像である。写真左から１枚目は１回目の試験前の写真であり、２枚目は試験結果後である。写真左から３枚目は２回目の試験前の写真であり、４枚目は試験結果後である。写真左から５枚目は３回目の試験前の写真であり、６枚目は試験結果後である。
【発明を実施するための形態】
【０００８】
以下、本発明を図によって詳細に説明する。
図１は本発明物の強度試験結果であり、３回の試験でそれぞれほぼ平均的な結果を示している。一方、図１-ＦＲＰは２回目の強度試験結果が突出しており、１回目、及び２回目の試験結果の２倍近い強度結果を示しており、３回の試験結果の平均値を大きく上げる結果となっている。
【図１】
2011157410.tif 000003
【図２】
2011157410.tif 000004
【図３】
2011157410.tif 000005
【図４】
2011157410.tif 000006
【図５】
2011157410.tif 000007
【図６】
2011157410.tif 000008
【図７】
2011157410.tif 000009
【図８】
2011157410.tif 000010
(57)【要約】【課題】蓋付き容器の蓋を取り外した場合、取り外した蓋の置き場所に困る事があり、そして又、熱せられた蓋を裏返しにしたり、或るいはそのまま伏せてテーブル等に直置きしたりする事もあって、安全面や衛生面に於いても好ましくなく、また更には邪魔になる蓋を、掛け置き支持具等を用いて蓋を掛け置きする方法もあるが、掛け置き支持具そのものの嵩張りや、その支持具を使用する煩わしさがあった。【解決手段】蓋付き容器の蓋の表面と裏面の両方に、つまみを設けて、蓋を取り外した時には、容器本体上部の開口周縁に当該蓋裏面のつまみを係止させ、当該蓋を容器本体に掛けて置く様にする事で、この課題を解決する。【選択図】図２
2011157130.tif 000002
【特許請求の範囲】
【請求項１】
蓋の表と裏の両面に、つまみを設けたことを特徴とする蓋付き容器の蓋。
【発明の詳細な説明】
【技術分野】
【０００１】  本発明は、蓋付き容器の蓋に関するものであり、蓋を取り外した場合、外した蓋の置き場所に困らぬように、そして熱くなった蓋を裏返す手間やテーブルなどの上に直置きしなくて済む様にしたものである。
【背景技術】
【０００２】  従来から蓋を容器本体より取り外した場合、取り外した蓋の置き場に困る事があるので、蓋の掛け置き支持具などで、蓋を立て掛けて置く様に工夫したものが数多く考案されている。【０００３】  又、形作られた窪みの枠に嵌め込んで蓋を置く様にする、お盆に似た蓋置き台などもある。【０００４】  更に、用途、構成は異なるが蓋のつまみが脱着式になっていて、表面の邪魔なつまみを裏側に付け替えて蓋を数枚重ねて収納する様にした考案もある。【０００５】
【特許文献１】  特願２００８−２３３０４
【特許文献２】  特願２００３−１１４９９２
【特許文献３】  平１１−６２５２２
【特許文献４】  平０８−３５７４３３
【実用新案文献１】
昭６１−１９４１０４
【発明の開示】
【発明が解決しようとする課題】
【０００６】  蓋付き容器の蓋を外して置く場合、蓋の置き場所に困る事があり、熱せられた蓋を裏返しにしたり、或るいはそのまま伏せてテーブルなどに直置きしたりすることもあって、安全面、衛生面に於いても好ましくなかった。【０００７】  又更には邪魔になる蓋を、掛け置き支持具などに掛け置きする方法等があるが、掛け置き支持具そのものの嵩張りや、その支持具を使用する煩わしさがあるので、これらの不都合を解決することを課題とする。
【課題を解決するための手段】
【０００８】  この課題を解決するための本発明は、蓋の裏面にも、つまみを設けて、蓋を取り外した時には容器本体上部の開口周縁に、この蓋裏面のつまみを係止させて、蓋を容器本体に掛けて置くことを特徴とするもので、蓋は容器本体と一体となって置かれるので蓋の置き場所に困らない。
【発明の効果】
【０００９】  本発明により、蓋付き容器の蓋を外して置く場合に、蓋の置き場所に困ることなく、熱せられた蓋を裏返す手間も無くなり、テーブルの上などに直置きしなくて済むので、より安全で清潔であり、又更には、つまみが蓋の両面にあるので蓋の表と裏を逆にし、蓋裏面を上向けにして、イメージを変えた容器の使い方も可能となる。
【発明を実施するための最良の形態】
【００１０】  図１は、蓋の表と裏の両面に、つまみを設けたことを特徴とする蓋付き容器の蓋の斜視図であって、裏面のつまみは係止用として用いるが、大きさ、形などは表面のつまみと同一である必要は無く、そして蓋全体に関しても表面と裏面のデザイン色彩を異なるものにして裏表を逆にし、裏面を上向きにして下向きになった蓋表面のつまみを係止用に代用し、趣の異なる二種類の蓋の容器として使い分ける事も可能である。【００１１】  図２は、図１に示す当該蓋裏面のつまみを、容器本体上部の開口周縁に掛止して、蓋を容器本体に掛けて置く状態を示しており、蓋は容器本体と離れずに一体となって置かれるので場所をとらない。
【産業上の利用可能性】
【００１２】  本発明に係る蓋付き容器の蓋は、工業的に量産する事が可能であるため、産業上の利用可能性を有する。
【図面の簡単な説明】
【００１３】
【図１】本発明の蓋の斜視図
【図２】本発明の蓋を容器本体に掛け置きした時の斜視図
【符号の説明】
【００１４】１  蓋
２  蓋のつまみ
３  容器本体
【図１】
2011157130.tif 000003
【図２】
2011157130.tif 000004
(57)【要約】【課題】  今までのラップの刃は直線（ラップに対して）だったため切りにくかった【解決手段】  ラップの刃をゆるやかなＶの字にする事によりラップが切りやすくなり。力点が一点に集中させる事ができる。【選択図】図１
2011157132.tif 000002
【特許請求の範囲】
【請求項１】
従来、ラップの切り口は刃が一直線になっており、力点が一点に集まらない為大変ラップが切りにくかった。しかし本発明はラップの刃がＶの字になっている為、力点が一点に集中し切りやすくなったラップの刃。
【発明の詳細な説明】
【０００１】  本発明はラップの刃を直線からＶの字にすることで効率的にラップが切れる様にしたものである。
【０００２】  上記の事由によって親指でまん中を押さえて切るだけで、使いにくかったラップの切り方が簡単になった事。
【０００３】  またラップで包む皿や茶碗は丸い物が多いのでひき出したラップの先をつけて包むやり方が比較的楽にできる。
【０００４】  そして切ったラップを引き出す際にも先がとりやすいのが利点である。
【図面の簡単な説明】
【０００５】
【図１】本発明の斜視側面図
【図２】本発明の上面図
【符号の説明】
【０００６】  １、ラップの箱
２、ラップの刃
３、ラップ
４、皿、ｅｔｃ、
【図１】
2011157132.tif 000003
【図２】
2011157132.tif 000004
(57)【要約】【課題】冬季になると，歩道から自宅の玄関まで積雪のため歩行中滑って転倒したり，靴の中に雪が入ったり，除雪も大変困難な労働をする事は避けられない。ロードヒ−ティング敷設・融雪機・機械による排雪・トラックによる排雪を行わず，本発明では，融雪マットを地面に縦に磁石で連結し融雪する，融雪マットを提供する。【解決手段】冬季になると，歩道から自宅の玄関まで積雪のため歩行中滑って転倒したり，靴の中に雪が入ったり，除雪も大変困難な労働をする事は避けられない。ロードヒ−ティング敷設・融雪機・機械による排雪・トラックによる排雪は費用がかかる。特に借家・借地は自由に工事は出来ない難点がある。本発明では，これらを解決する手段として融雪マットを地面に縦に磁石で連結し雪を溶かす，磁石で連結する融雪マットを特徴とする。【選択図】図３
2011157805.tif 000002
【特許請求の範囲】
【請求項１】
冬季になると，歩道から自宅の玄関まで積雪のため歩行中滑って転倒したり革靴の中に雪が入ったり，除雪も大変困難な労働をする事は避けられません。
ロードヒ−ティング敷設・融雪機・機械による排雪・トラックによる排雪を行わず，本発明では，融雪マットを地面に縦に磁石で連結し融雪する，融雪マットを提供する。
【発明の詳細な説明】
【技術分野】
【０００１】本発明は  ，冬季になると歩道から自宅玄関まで降雪と凍結で歩く事も自由がきかず，ロードヒ−ティングを敷設するのも，除雪機を使うのも費用がかかり又，人力で雪を排除する労働は厳しいものがある。
その凍結した氷と雪を溶かす為の融雪マットに関するものである。
【背景技術】
【０００２】従来より，雪を排除する機器は，色々あるが，磁石で融雪マットを連結する融雪マットは他に見当たらない。
【発明の開示】
【本発明が解決しようとする課題】
【０００３】雪を溶かすロードヒ−ティングを敷設するのは大きな費用がかかる，又除雪機を購入するにも同様であり，人力で排除するにはかなりハードな労働である。
しかし，どんな理由があってもそれを排除しなければ，雪国では生活が出来ない。
それらを課題を解決するためのものである。
【課題を解決する手段】
【０００４】それを解決する為に本発明は，磁石で連結する融雪マットを使い，雪を溶かす事を考えた。
女子と子供の家庭，老人の家庭，妊婦，等の家庭は重労働する事は厳しい。
ロ−ドヒ−ティングは費用がかかり過ぎる。除雪機の場合は費用と運転操作が出来ない。又，借家，借地なら特に人力で雪を排除するしかありませんが，それらの人々の為に，磁石で連結する融雪マットを使って厳しい冬を無事に過ごしてもらう事を解決の手段とする。
【本発明の効果】
【０００５】本発明によれば，
１．どの方法より費用が安くつく。
２．重労働が必要ない。
３．生活に安心感がでる。
４．滑って転倒して怪我をしたり，靴の中に雪が入って溶けて靴下と靴の汚れがなくなる。
【発明を実施するための最良の形態】
【０００６】本発明の実施形態について説明する。
冬期間積雪，凍結のある地方では歩道から自宅の玄関まで積もった雪を除雪機で排除・トラックで積んで排除・ロ−ドヒーティング敷設・人力で除雪等々費用と労働は計り知れない苦労がある。
女と子供の家庭，老人の家庭，妊婦，等の家庭は重労働する事は厳しい。
ロ−ドヒ−ティングは費用がかかり過ぎる。除雪機の場合は費用と運転操作が出来ない。又，借家，借地なら特に人力で雪を排除するしかありませんが，それらの人々の為に，磁石で連結する融雪マットを使って厳しい冬を無事に過ごしてもらう事を目的に磁石で連結する融雪マットを発明した。
図２に示したように，安い費用で雪を溶かす方法として，ゴムや合成樹脂等を使ってマット状にして電気で溶かす。
マットとマットの連結は各々片側に２箇所に磁石を取り付け，反対側にスチールを取り付け連結する。
マットの表面は，溶けた水が溜まらない様にかまぼこ型とした。
電子部品のソケットは，外に置きっぱなしの為防水用のものを使用する。
これにより，この融雪マットを使用する事により，老人家庭・女子と子供の家庭においても，一般家庭においても無理な労働や，高い費用をかけて雪を排除する必要がない。
どこの家庭でも簡単に手軽に設置することが出来るので，とても便利で経済的である。【０００７】本発明の磁石連結する融雪マットの使用方法について説明する。
除雪が必要な場所に，通路の長さに応じて融雪マットの枚数を用意する。
縦に連続して並べ，磁石とスチールの平板を合わせるようにして連結する。
【図面の簡単な説明】
【０００８】
【図１】本発明の平面図
【図２】本発明の平面連結図
【図３】本発明の平面断面図
【図４】本発明の正面図
【図５】本発明の背面図
【図６】本発明の右側面図
【図７】本発明の左側面図
【図８】本発明の防水プラグ
【図９】本発明の連結配線拡大図
【図１０】本発明の斜視図
【符号の説明】１  磁石で連結する融雪マット
２  プラグ
３  磁石
４  スチ−ル平板
５  プラグ凹凸
６  連結配線
７  コイル
【図１】
2011157805.tif 000003
【図２】
2011157805.tif 000004
【図３】
2011157805.tif 000005
【図４】
2011157805.tif 000006
【図５】
2011157805.tif 000007
【図６】
2011157805.tif 000008
【図７】
2011157805.tif 000009
【図８】
2011157805.tif 000010
【図９】
2011157805.tif 000011
【図１０】
2011157805.tif 000012
(57)【要約】      （修正有）【課題】冬季の暖房時に土間またはスラブからその直下の地中へ熱が伝導しないようにすることと、逆に夏季は土間またはスラブからその直下の地中へ熱を放散するようにする。【解決手段】土間またはスラブとその直下の地中との間における上下の熱の移動を、断熱材による断熱層３を挟む形で設置した複層の温冷水回路７，８の循環水をバルブ１１，１２により制御する。また、建物直下の土中から横方向外部土中への熱勾配を緩和するため、建物基礎５の外周へ略水平に設置したスカート断熱板１４の下部へ遮熱板または遮熱シート１３を設置し、さらにその下へ空気層として中空板または薄い断熱板１５を設置する。【選択図】図１
2011157803.tif 000002
【特許請求の範囲】
【請求項１】
土間またはスラブとその直下の地中との間における上下の熱の移動を、断熱材による断熱層を挟む形で設置した複層の温冷水回路の循環水をバルブにより制御することで管理するシステム。
【請求項２】
請求項１における温冷水回路の循環水を制御するバルブは、手動のほかに屋外気温、屋内気温、地中温度、および土間またはスラブ温度等を温度センサーにより検出することにより各部の温度差を比較し、その結果をもって電気的に自動制御する。
【請求項３】
建物直下の土中から横方向外部土中への熱勾配を緩和するため、建物基礎外周へ略水平に設置したスカート断熱板の下部へ遮熱板または遮熱シートを設置し、さらにその下へ空気層として中空板または薄い断熱板を設置する。
【発明の詳細な説明】
【技術分野】
【０００１】  この発明は建物直下の地中熱を有効に利用するための、建物の土間またはスラブの断熱方法と、断熱により発現する温度差を制御管理する技術に関するものである。
【背景技術】
【０００２】  建物の土間またはスラブ部で暖房をしようとするとき、従来の技術では土間またはスラブからその直下の地中へ暖房熱が放散しないよう、土間またはスラブの下部へ断熱層を設けることが一般的であったがこの場合、建物直下の地中が本来もつ熱を有効に利用できないという欠点があった。  また夏季に建物内部の温度が直下の地中温度より高温になる場合に建物内部の熱を直下の地中へ放散させることにより温度を下げることができないという欠点があった。【０００３】  また前項［０００２］の欠点を克服し建物直下の地中熱を有効利用しようとする場合、従来の技術では土間またはスラブの下部に断熱層を設けず、土間またはスラブはその直下の土壌に直に接することになり土間またはスラブの暖房熱の多くを土中に失うか、または土間対地中の温度差の変動や敷地土壌の熱特性差等により十分に温度を制御できない欠点があった。
【発明の概要】
【発明が解決しようとする課題】
【０００４】  冬季の暖房時に土間またはスラブからその直下の地中へ熱が伝導しないようにすることと、逆に夏季は土間またはスラブからその直下の地中へ熱を放散するようにすること。また、冬季の暖房をおこなう前の外気温が低下してくる時期において地中の熱を土間またはスラブへと伝導させ、建物屋内温度を一定に保つようにするとともに建物直下の地中熱が建物直下外に放散することによる温度低下を防ぐことである。
【課題を解決するための手段】
【０００５】  土間またはスラブ下に断熱層をつくりそれを上下に挟むように温水回路を設置する。上下の温水回路は一次回路と二次回路に分離することにより、循環水をバルブにより制御し、断熱層を挟む一次回路と二次回路をつないだ場合は循環水による熱移動により断熱効果を失効させ、一次回路と二次回路を分離した場合は循環水を遮断することにより土間またはスラブとその直下の地中との熱移動を制限することができる。またスカート断熱板の下に遮熱板または遮熱シートを設置しさらにその下に中空板などによる空間を設けることによりスカート断熱板下部で地中熱を反射し土中に高温部をつくり建物直下から外部への熱勾配を緩和することで建物直下の地中熱を有効利用する。
また、バルブ操作を手動で行うことを可能とするほか、各部温度差の検出とそれに対応するバルブ動作の条件付けを電子的にプログラムすることにより電磁弁等バルブの自動制御をおこなう。
【図面の簡単な説明】
【０００６】
【図１】このシステムの概略断面図である。▲８▼二次温水または冷水回路配管は図中では単層となっているが複層とすることも含む。▲１１▼バルブ１及び▲１２▼のバルブ２は手動バルブのほか、自動制御を行うため電磁弁等の電動バルブでも良い。▲１▼建物外皮断熱層は建物の連続する断熱層であって充填断熱か外張り断熱かを問わない。▲１０▼熱源器は電気、灯油、ガス、その他の燃料によるボイラー、及びヒートポンプ、太陽熱温水器などを含み、作動させない時は循環水が通過するだけのものである。
【図１】
2011157803.tif 000003
(57)【要約】      （修正有）【課題】簡易な構成で有効に機能する防災手段を安価にして提供できるようにする。【解決手段】ベッドの長手方向両端側には、遮蔽板が固定式に設置され、これら遮蔽板には、左右一対の回動中心を介して左右に対向する一対のベッド体1が設けられるとともに、両ベッド体1は、その上面を水平にした状態と外向きに立ち上がった状態とに姿勢を変換可能とされ、各ベッド体1は、水平な状態のときに対向する側の一部が部分円形をなしているとともに、重りを備えて前記水平な状態から立ち上がった状態へと姿勢を変換する際に下がるようにされるとともに、上がって戻った際の両重り間は、取り外し可能なロックリンク61で連結され、遮蔽板58には、ベッド体1を前記立ち上がった状態に停止させその立ち上がった状態の両ベッド体1間に安全空間を形成するためのストッパ60が設けられている。【選択図】図１
2011161227.tif 000002
【特許請求の範囲】
【請求項１】
ベッドの長手方向両端側には、遮蔽板が固定式に設置され、これら遮蔽板には、左右一対の回動中心を介して左右に対向する一対のベッド体が設けられるとともに、両ベッド体は、その上面を水平にした状態と外向きに立ち上がった状態とに姿勢を変換可能とされ、各ベッド体は、水平な状態のときに対向する側の一部が部分円形をなしているとともに、重りを備えて前記水平な状態から立ち上がった状態へと姿勢を変換する際に下がるようにされるとともに、上がって戻った際の両重り間は、取り外し可能なロックリンクで連結され、遮蔽板には、ベッド体を前記立ち上がった状態に停止させその立ち上がった状態の両ベッド体間に安全空間を形成するためのストッパが設けられている防災装置。
【発明の詳細な説明】
【技術分野】
【０００１】この発明は、地震や洪水などの災害に対する防災装置で、特に、簡易なるベッドを主たる対象にしたものに関する。
【背景技術】
【０００２】  例えば、就寝時における地震による家屋の倒壊等の非常事態には安全性を確保しておく必要がある。
【発明の概要】
【発明が解決しようとする課題】
【０００３】  ところで、こうした事態に対応し得る防災装置としては各種のものが提案されている。しかし、いずれも鋼材等を組み合わせて対応する構造であるため、大掛かりで高価につくもので普及には不向きな面がある。【０００４】  この発明は前記課題を解決するためになされたもので、簡易な構成で有効に機能する防災手段を安価にして提供できるようにすることを目的とする。
【課題を解決するための手段】
【０００５】  前記課題を解決するため、請求項１記載の発明は、ベッドの長手方向両端側には、遮蔽板が固定式に設置され、これら遮蔽板には、左右一対の回動中心を介して左右に対向する一対のベッド体が設けられるとともに、両ベッド体は、その上面を水平にした状態と外向きに立ち上がった状態とに姿勢を変換可能とされ、各ベッド体は、水平な状態のときに対向する側の一部が部分円形をなしているとともに、重りを備えて前記水平な状態から立ち上がった状態へと姿勢を変換する際に下がるようにされるとともに、上がって戻った際の両重り間は、取り外し可能なロックリンクで連結され、遮蔽板には、ベッド体を前記立ち上がった状態に停止させその立ち上がった状態の両ベッド体間に安全空間を形成するためのストッパが設けられている。
【発明の効果】
【０００６】  上述したようにこの発明は、ベッドの長手方向両端側には、遮蔽板が固定式に設置され、これら遮蔽板には、左右一対の回動中心を介して左右に対向する一対のベッド体が設けられるとともに、両ベッド体は、その上面を水平にした状態と外向きに立ち上がった状態とに姿勢を変換可能とされ、各ベッド体は、水平な状態のときに対向する側の一部が部分円形をなしているとともに、重りを備えて前記水平な状態から立ち上がった状態へと姿勢を変換する際に下がるようにされるとともに、上がって戻った際の両重り間は、取り外し可能なロックリンクで連結され、遮蔽板には、ベッド体を前記立ち上がった状態に停止させその立ち上がった状態の両ベッド体間に安全空間を形成するためのストッパが設けられているので、簡易な構成で有効に機能する防災手段を安価にして提供できるようになる。
【図面の簡単な説明】
【０００７】
【図１】他の実施形態を示す横断面図。
【図２】図１の作用説明図。
【発明を実施するための形態】
【０００８】  以下、図示した実施形態を参照してこの発明を詳細に説明する。
図１及び図２に示す実施形態は、回動により安全空間が形成されるもので、架台３は部分円形の断面で回動中心５６回りに回動する。架台３の側部コーナー側には緩衝体２が装備されている。そして、通常は、図１に示すように、ベッド体１，１が左右に面一状になるように低く形成され、その上に上面材５７が載せられている。ベッド体１の長手方向両端側には遮蔽板５８が固定式に設置され、それに左右１対の回動中心５６を介して図２のようにベッド体１，１が立ち上がるようになっている。この立ち上がりは、重り５９によりなされる。６０はストッパである。ベッド体１が立ち上がるとベッド体１間に安全空間が形成されるとともに、緩衝体２が上にくるので緩衝効果が有効に得られる。尚、図１に仮想線で示すように、ロックリンク６１で図１の状態にロックされ、同リンク６１を外すことで図２の状態になる。
【符号の説明】
【０００９】  １…ベッド体  ２…緩衝体  ３…架台  ５６…回動中心  ５７…上面材  ５８…遮蔽板  ５９…重り  ６０…ストッパ  ６１…ロックリンク。
【図１】
2011161227.tif 000003
【図２】
2011161227.tif 000004
(57)【要約】【課題】  化学実験で使用するチューブラックにおいて、小さな体積で、溶液残量確認を簡単にし、簡便に製作する方法を提供する。【解決手段】  厚さ３ｍｍ以上２５ｍｍ以下、幅１２ｍｍ以上、奥行き１２ｍｍ以上の平板に、直径３ｍｍ以上９ｍｍ以下の穴を１個以上開けたことを特徴とする。【選択図】図１
2011161428.tif 000002
【特許請求の範囲】
【請求項１】
平板に１個以上の穴を開けたことを特徴とするチューブラック。
【請求項２】
穴の直径が３ｍｍ以上９ｍｍ以下であることを特徴とする請求項１のチューブラック。
【請求項３】
平板の厚さが３ｍｍ以上２５ｍｍ以下で、幅が１２ｍｍ以上で、奥行きが１２ｍｍ以上であることを特徴とする請求項２のチューブラック。
【請求項４】
穴が貫通していないことを特徴とする請求項３のチューブラック。
【発明の詳細な説明】
【技術分野】
【０００１】  この発明は、チューブラックに関するものである。
【背景技術】
【０００２】  化学実験のダウンサイジングの動きのなかで、容量１ｍＬ程度の容器であるマイクロチューブや容量１０ｍＬ程度のスピッツ管等が使用されている。低価格で耐薬品性もあるため、サンプル容器や試薬容器、更には反応容器として用いられている。しかし、これらの容器は、先端が円錐状であるため自立できない。そのため、使用に際しては、何らかの自立させるための器具が必要である。その器具としては、マイクロチューブラックやチューブラックという名称のものが市販されている。それらは、窪みに容器を入れて保持したり、マイクロチューブのフランジ部分を丸穴に引っかける方式であったり、格子の間に入れて保持したりするものである。【０００３】  したがって、それらの窪みの直径や丸穴の直径、及び、格子の間隙は、容器の最大直径より大きいものとなっている。そのため、窪み方式では、容器の大半が窪みに隠れて、溶液残量確認が難しくなるという問題点が生じている。
また、市販のマイクロチューブラックは、多数の容器を対象にした大規模や中規模実験用であるため、小規模実験ではチューブラックの体積が大きすぎるという問題点があった。さらに、小規模実験用としては、価格が高いという問題点もあった。
【発明の開示】
【発明が解決しようとする課題】
【０００４】  従来のチューブラックは、体積が大きく、低価格ではなく、更には溶液残量の目視確認が難しいという欠点があり、小規模実験の障害となっていた。
【課題を解決するための手段】
【０００５】  平板に穴をあけただけの構造とし、マイクロチューブやスピッツ管の先端が差し込めるようにする。この穴の直径は、容器の最大直径より小さいことを特徴とする。平板にあけた穴のエッジ部分や側壁とマイクロチューブやスピッツ管の先端部分の摩擦力により、マイクロチューブやスピッツ管は保持され、自立が可能となる。
【発明の効果】
【０００６】  摩擦力により容器の自立を実現しているため、平板の厚さを減少させることが可能である。そのため、体積は減少する。また、平板に穴をあけるだけであるため、製造工程が短縮され、製造費用は削減される。その結果、価格も低下する。体積が減少するため、保管場所が減少し、運搬も容易になる。また、平板の厚さが小さいため、溶液残量の確認も容易になる。
【発明を実施するための最良の形態】
【０００７】  厚さ３ｍｍ以上２５ｍｍ以下で、幅１２ｍｍ以上、及び、奥行き１２ｍｍ以上の平板に、直径３ｍｍ以上９ｍｍ以下の穴を１個以上開けたものとする。平板の大きさ、及び、穴の個数に制限はない。また、平板の材質にも制限はない。更に、平板の外周の形状及び穴の形状にも制限はない。
【実施例】
【０００８】  厚さ５ｍｍ、幅１００ｍｍ、奥行き２０ｍｍのゴム板に、直径４ｍｍの丸穴を１８ｍｍの間隔で一列に６個開けた。これにより、６個のマイクロチューブを自立させることができた。保持力は十分なので、実験遂行中は自立でき、支障は生じなかった。また、繰り返し使用にも耐えることができた。
スピッツ管用としては、厚さ１０ｍｍ、幅１００ｍｍ、奥行き３０ｍｍのゴム板に、直径７ｍｍの穴を３０ｍｍ間隔で３個開けた。これにより、３個のスピッツ管を自立させることができた。保持力は十分なので、実験遂行中は自立でき、支障は生じなかった。また、繰り返し使用にも耐えることができた。
【図面の簡単な説明】
【０００９】
【図１】本発明の斜視図である。
【符号の説明】
【００１０】１  平板
２  穴
【図１】
2011161428.tif 000003
(57)【要約】      （修正有）【課題】右と左の鉛筆２本を用いて相似形を描く。【解決手段】長さ計テープメジャーの目盛上に、透明体の製図器、サークルメジャーの鉛筆挿入口８を有す、長さ計テープメジャーのＯ点に合せ、（右方）左方はシミラリテー定規をセットして、右手はサークルメジャー１、左手はシミラリテー定規を用いて、希望の相似形６を描く装置。【選択図】図９
2011161905.tif 000002
【特許請求の範囲】
１ｍ５０ｃｍの長さ計テープメジャーの目盛の中に（１）サークルメジャー（２）新発明シミラリテーをセットして鉛筆２本を用いて相似形を描く装置で左と右の鉛筆で共に描く。
【発明の詳細な説明】
【発明の詳細な説明】
１ｍ５０ｃｍの長さ計テープメジャーの目盛の中に（１）サークルメジャー（２）新発明シミラリテーをセットして、（７）鉛筆２本、左方（２）シミラリテーと右方（１）サークルメジャーで相似形を描く装置。希望する図を新発明（２）シミラリテーにより容易に鉛筆２本を用いて描く装置。請求項（２）新発明シミラリテーと用いる事により任意の相似形を描く装置。
【発明の属する技術の分野】
洋裁手芸、工芸と広い分野に用いる。新発明（２）シミラリテーの実施状態は長さ計テープメジャーを用いて（２）新発明シミラリテーを用いて（２）シミラリテーの（８）鉛筆挿入穴に左方鉛筆（４）、右方鉛筆（５）はサークルメジャーの鉛筆挿入穴で、左方に重点を置き、右方は左方に従う様にする事により美しい（６）相似形を描く事が出来る。各学校のみならず各御家庭に新しい図案を描く文具である。相似形定規である。透明なプラスチック製。
【図面の簡単な説明】
【図１】  平面図
【図２】  立体図
【図３】  左側面図
【図４】  右側面図
【図５】  上部より視たる図
【図６】  下部より視たる図
【図７】  実施状態を示す図
【図８】  シミラリテーの仕上り図
【図９】  実施状態を示す実寸図
【図１】
2011161905.tif 000003
【図２】
2011161905.tif 000004
【図３】
2011161905.tif 000005
【図４】
2011161905.tif 000006
【図５】
2011161905.tif 000007
【図６】
2011161905.tif 000008
【図７】
2011161905.tif 000009
【図８】
2011161905.tif 000010
【図９】
2011161905.tif 000011
(57)【要約】【課題】  雨で濡れてしまったカッパを一時的に脱がなくてはならない時。またそのカッパを着なければならない時。そのような時に、このカッパ拭き収納袋は大変役に立つ。  始めに水分を吸収し易い素材を表に出し、カッパをサッと拭く。次いでカッパを軽く畳み、袋を中表にする要領で裏返して、水分を吸収し易い素材を内側にし、その中にカッパを収納し、更に水分を取る為に少し揉んでおく。  要するに、短時間でより多くの水分を取るために、このカッパ拭き収納袋を提供する。【解決手段】  雨で濡れてしまったカッパを着るのは、とても気持ちの悪いもの。そのような時、このカッパ拭き収納袋があれば短時間で水分を吸収し、またそのカッパを着ることが出来るということを特徴とする。【選択図】  図３
2011161009.tif 000002
【特許請求の範囲】
【請求項１】
水分を通さない素材と、水分を吸収し易い素材を合わせて袋状に作成したことを特徴とするカッパ拭き収納袋。
【請求項２】
袋の先端部に袋を裏返す為のストラップ及び房を備えたことを特徴とする請求項１記載のカッパ拭き収納袋。
【請求項３】
房の部分は水分を吸収し易い素材とすることにより、カッパを収納した時は水分をより多く吸収することを特徴とする請求項１又は２記載のカッパ拭き収納袋。
【請求項４】
水分を吸収し易い素材の面を表にしてカッパを拭くことを特徴とする請求項１ないし３のいずれかに記載のカッパ拭き収納袋。
【請求項５】
水分を通さない素材の面を表にしてカッパを収納できることを特徴とする請求項１ないし４のいずれかに記載のカッパ拭き収納袋。
【請求項６】
ゴム製のストラップ及びロープストッパを使い任意の位置で腕に袋を固定できることを特徴とする請求項１ないし５のいずれかに記載のカッパ拭き収納袋。
【請求項７】
袋の先端で水分を通さない素材と水分を吸収し易い素材を繋ぎ合わせていることを特徴とする請求項１ないし６のいずれかに記載のカッパ拭き収納袋。
【発明の詳細な説明】
【技術分野】
【０００１】
本発明は、カッパの水分を素早く拭き取る物である。更にカッパを収納する事も出来るという機能を持たせた物である。
【背景技術】
【０００２】
従来、雨で濡れたカッパに付着した水分を拭き取るには、タオル等を使用していた。
【先行技術文献】
【特許文献】
【０００３】
【特許文献１】特開平０５−９７５５１０号  公報
【特許文献２】特開２００４−３０５７２７号  公報
【発明の概要】
【発明が解決しようとする課題】
【０００４】
自転車での傘さし運転が禁止になりカッパを着る機会が多くなった。しかし濡れたカッパを着たままでは買い物をしたくとも、店に入ることは出来ない。
傘はすぐに畳め、またすぐにさせる。しかしカッパはこのように容易いものではない。一度濡れてしまったカッパはもう二度と着たくないほど、気持ちの悪いものである。
この気持ちの悪い濡れてしまったカッパを再び着ることが出来るように、如何に素早く手軽に水分を拭き取ることが出来るかということである。
【課題を解決するための手段】
【０００５】
本発明は、水分を通さない素材と水分を吸収し易い素材を袋状に合わせて袋の先端部で繋ぎ合わせて作成し、この先端部に袋を裏返す為のストラップ及び房を備え、ゴム製のストラップ及びロープストッパを使い任意の位置で腕に袋を固定出来るカッパ拭き収納袋である。
このカッパ拭き収納袋は水分を吸収し易い素材の面を表にしてカッパを拭くことが出来、水分を吸収し易い面を裏にした時はその中にカッパを収納して、少し揉むことで更にカッパの水分を吸収する事が出来る。
房の部分は細かい所も拭けると同時に、カッパを収納した時には、水分をより多く吸収出来ることを特徴とする。
【発明の効果】
【０００６】
水分を通さない素材と水分を吸収し易い素材を合わせて袋状にしてあり、中表にする要領で裏返し、中に腕を入れる事で、肘から指先までの全てでカッパを拭くことが出来る。
タオルを手で握って拭くと腕を捩らなければタオルの面を背部に当てる事は出来ないが、このカッパ拭き収納袋は、袋状になっているので、腕の全ての面がタオルになっているという事になる。
これにより、手の甲あるいは親指の部分を背部に当てたなら、容易く手を上下に動かすことが出来る。これによって無理な態勢を取らなくて済むので、肩を痛める危険性も無くなる。
次にカッパを軽く畳み、袋を中表にする要領で裏返して、水分を吸収し易い素材を内側にし、その中にカッパを収納する。更に水分を取る為に少し揉んでおく。
雨の日、学校にカッパを着ていく時など、このカッパ拭き収納袋を持つことで、帰りに濡れたままの気持ちの悪いカッパを着なくて済むという利点がある。
【図面の簡単な説明】
【０００７】
【図１】本発明のカッパ拭き収納袋の外観図
【図２】濡れたカッパを収納した場合の断面図
【図３】収納袋を腕に装着した場合の断面図
【発明を実施するための形態】
【０００８】
以下、本発明を実施する為の形態について説明する。
片面は水分を通さない素材１を使用し、もう片面は水分を吸収しやすい素材２を使用している。
図１は本発明のカッパ拭き収納袋の外観図である。図２はカッパを袋に収納した際の断面図である。図３は収納袋を腕に装着した場合の断面図である。３と４は袋を裏返す際に引っ張る部分である。
図３のように腕に被着する時は６のロープストッパを片手で操作する。人差し指と親指で摘まんで押し潰し、５のストラップのストッパを外す。そのままの状態で残りの３本の指で５のストラップを手繰り寄せて、任意の場所で固定することが出来る。
水分を通さない素材と水分を吸収し易い素材を止めた箇所８は水分を通さない素材１と水分を吸収し易い素材２を繋ぎ合わせた箇所である。
水分を通さない素材を折り返して作った筒状のストラップ通し７は水分を通さない素材１を折り返してゴム製のストラップ５を通せるようにしてある。
本発明は以上のような構成になっている。また他の使用方法として、濡れた折り畳み式傘や冷えたペットボトルを収納しても水分が外に出てくることが無くて便利である。
【符号の説明】
【０００９】
１    水分を通さない素材
２    水分を吸収し易い素材
３    袋を中表にする際に引っ張るストラップ
４    袋を中表にする際に引っ張る房（素材は２）
５    ゴム製のストラップ
６    ロープストッパ
７    水分を通さない素材を折り返して作った筒状のストラップ通し
８    水分を通さない素材と水分を吸収し易い素材を止めた箇所
９    開口部
１０  腕
１１  畳んだカッパ
【図１】
2011161009.tif 000003
【図２】
2011161009.tif 000004
【図３】
2011161009.tif 000005